(57)【要約】【課題】半永続スケジューリング移動局装置識別子を処理する方法を提供する。【解決手段】この方法は、無線通信システムにおいて、プライマリ周波数ブロック、少なくとも１つのセカンダリ周波数ブロック、および半永続スケジューリング（ＳＰＳ）移動局装置識別子（Ｃ−ＲＮＴＩ）が設定されたモバイル装置に関する、ＳＰＳ・Ｃ−ＲＮＴＩの処理方法であって、ＳＰＳ情報に関する物理ダウンリンク制御チャンネル（ＰＤＣＣＨ）認証処理を実行するステップと、上記ＰＤＣＣＨ認証処理が有効で、かつ、上記プライマリ周波数ブロックにおいて上記ＳＰＳ情報が受信された場合、上記ＳＰＳ情報が有効であると特定するステップとを含む。【選択図】図４
2011254480.tif 000002
【特許請求の範囲】
【請求項１】
無線通信システムにおいて、プライマリ周波数ブロック、少なくとも１つのセカンダリ周波数ブロック、および半永続スケジューリング（ＳＰＳ）移動局装置識別子（Ｃ−ＲＮＴＩ）が設定されたモバイル装置に関する、ＳＰＳ・Ｃ−ＲＮＴＩの処理方法であって、
ＳＰＳ情報に関する物理ダウンリンク制御チャンネル（ＰＤＣＣＨ）認証処理を実行するステップと、
上記ＰＤＣＣＨ認証処理が有効で、かつ、上記プライマリ周波数ブロックにおいて上記ＳＰＳ情報が受信された場合、上記ＳＰＳ情報が有効であると特定するステップとを含むことを特徴とするＳＰＳ・Ｃ−ＲＮＴＩの処理方法。
【請求項２】
上記ＳＰＳ情報は、ダウンリンクの割当て、またはアップリンク・グラントであることを特徴とする請求項１に記載のＳＰＳ・Ｃ−ＲＮＴＩの処理方法。
【請求項３】
上記ＳＰＳ情報に関する上記ＰＤＣＣＨ認証処理を実行する上記ステップは、さらに、
物理（ＰＨＹ）層において上記ＳＰＳ情報に関する上記ＰＤＣＣＨ認証処理を実行するステップと、
上記ＰＤＣＣＨ認証処理が有効な場合、上記ＳＰＳ情報および周波数ブロック（ＣＣ）情報を媒体アクセス制御（ＭＡＣ）層に、上記ＰＨＹ層が配信するステップとを含み、
上記ＣＣ情報は、上記ＳＰＳ情報が上記プライマリ周波数ブロックにおいて受信されたか否かを示すことを特徴とする請求項１に記載のＳＰＳ・Ｃ−ＲＮＴＩの処理方法。
【請求項４】
上記ＰＤＣＣＨ認証処理が有効で、かつ、上記プライマリ周波数ブロックにおいて上記ＳＰＳ情報が受信された場合、上記ＳＰＳ情報が有効であると特定する上記ステップは、
上記ＣＣ情報が、上記ＳＰＳ情報は上記プライマリ周波数ブロックにおいて受信されたことを示す場合、上記ＳＰＳ情報は有効であると上記ＭＡＣ層が特定するステップを含むことを特徴とする請求項３に記載のＳＰＳ・Ｃ−ＲＮＴＩの処理方法。
【請求項５】
無線通信システムにおいて、プライマリ周波数ブロック、少なくとも１つのセカンダリ周波数ブロック、および半永続スケジューリング（ＳＰＳ）移動局装置識別子（Ｃ−ＲＮＴＩ）が設定されたモバイル装置に関する、ＳＰＳ・Ｃ−ＲＮＴＩの処理方法であって、
ＳＰＳ情報が上記プライマリ周波数ブロックにおいて受信されたか否かに応じて、上記ＳＰＳ情報に関する物理ダウンリンク制御チャンネル（ＰＤＣＣＨ）認証処理を実行するステップを含むことを特徴とするＳＰＳ・Ｃ−ＲＮＴＩの処理方法。
【請求項６】
上記ＳＰＳ情報は、ダウンリンクの割当て、またはアップリンク・グラントであることを特徴とする請求項５に記載のＳＰＳ・Ｃ−ＲＮＴＩの処理方法。
【請求項７】
上記ＳＰＳ情報が、上記プライマリ周波数ブロックにおいて受信されていない場合、上記ＰＤＣＣＨ認証処理は無効であることを特徴とする請求項５に記載のＳＰＳ・Ｃ−ＲＮＴＩの処理方法。
【請求項８】
無線通信システムにおいて、プライマリ周波数ブロック、少なくとも１つのセカンダリ周波数ブロック、半永続スケジューリング（ＳＰＳ）移動局装置識別子（Ｃ−ＲＮＴＩ）、およびＣ−ＲＮＴＩが設定されたモバイル装置に関する、ＳＰＳ・Ｃ−ＲＮＴＩの処理方法であって、
リソース情報を受信するステップと、
上記リソース情報が受信された上記プライマリ周波数ブロックおよび上記少なくとも１つのセカンダリ周波数ブロックに応じて、上記リソース情報の中のＣＲＣパリティビットをデコードするステップとを含むことを特徴とするＳＰＳ・Ｃ−ＲＮＴＩの処理方法。
【請求項９】
上記リソース情報は、ダウンリンクの割当て、またはアップリンク・グラントであることを特徴とする請求項８に記載のＳＰＳ・Ｃ−ＲＮＴＩの処理方法。
【請求項１０】
上記リソース情報が受信された上記プライマリ周波数ブロックおよび上記少なくとも１つのセカンダリ周波数ブロックに応じて、上記リソース情報の中のＣＲＣパリティビットをデコードする上記ステップは、
上記少なくとも１つの上記セカンダリ周波数ブロックにおいて上記リソース情報が受信された場合、上記Ｃ−ＲＮＴＩを用いて上記リソース情報の中の上記ＣＲＣパリティビットをデコードするステップを含むことを特徴とする請求項８に記載のＳＰＳ・Ｃ−ＲＮＴＩの処理方法。
【請求項１１】
上記リソース情報が受信された上記プライマリ周波数ブロックおよび上記少なくとも１つのセカンダリ周波数ブロックに応じて、上記リソース情報の中のＣＲＣパリティビットをデコードする上記ステップは、
上記プライマリ周波数ブロックにおいて上記リソース情報が受信された場合、上記Ｃ−ＲＮＴＩまたは上記ＳＰＳ・Ｃ−ＲＮＴＩを用いて上記リソース情報の中の上記ＣＲＣパリティビットをデコードするステップを含むことを特徴とする請求項８に記載のＳＰＳ・Ｃ−ＲＮＴＩの処理方法。
【発明の詳細な説明】
【技術分野】
【０００１】
本発明は、無線通信システムで使用される方法、および、それに関連する通信装置に関連する。より詳細には、本発明は、無線通信システムおよびそれに関連する通信装置での半永続スケジューリング（ＳＰＳ：Semi-Persistent Scheduling）移動局装置識別子（Ｃ−ＲＮＴＩ：Cell Radio Network Temporary Identifier）の処理方法に関連する。
【背景技術】
【０００２】
〔関連出願の相互参照〕
この出願は、“Method and Apparatus for handling SPS C-RNTI in a wireless communication system”と題されて２０１０年６月３日に出願された６１／３５０，９３１号の米国特許仮出願の利益を享受する。この出願の内容は、参照によって本明細書に組み込まれるものとする。
【０００３】
〔背景技術〕
第３世代パートナーシップ計画（３ＧＰＰ：the third generation partnership project）により始められたロング・ターム・エボリューション（ＬＴＥ：long-term evolution）・システムは、現在、新たな無線インターフェイスおよび無線ネットワーク・アーキテクチャーと見なされている。その無線ネットワーク・アーキテクチャーは、高いデータ転送速度、短い待ち時間、パケット最適化、改良されたシステム容量および受信可能範囲を備えている。そのＬＴＥシステムでは、発展型ユニバーサル・テレストリアル・ラジオ・アクセス・ネットワーク（Ｅ−ＵＴＲＡＮ：evolved universal terrestrial radio access network）は、複数の発展型ノードＢ（ｅＮＢ:evolved Node-Bs）を含み、ユーザ機器（ＵＥ：user equipments）と呼ばれる複数の移動局と通信を行っている。
【０００４】
ＬＴＥアドバンスト（ＬＴＥ−Ａ：long term evolution-advanced）・システムは、その名前が示すように、ＬＴＥシステムの強化版である。ＬＴＥアドバンスト・システムは、電力状態間のより高速な切り替えを目的とし、セル端におけるパフォーマンスの改善、帯域幅の拡大、協調的な多地点送受信（ＣｏＭＰ：coordinated multipoint transmission/reception）、アップリンク多入力・多出力（ＭＩＭＯ）などの課題を含んでいる。
【０００５】
帯域幅の拡大に対し、周波数帯域統合が、ＬＴＥアドバンスト・システムに導入される。そのシステムによって、２つ以上の周波数ブロック（コンポーネント・キャリア）は、帯域幅の拡大を達成するように集約される。従って、ＬＴＥアドバンスト・システムは、最大５個の周波数ブロックを集約することで、より広い帯域幅を１００ＭＨｚまでサポートすることができる。ここで、各周波数ブロックの帯域幅は、２０ＭＨｚであり、３ＧＰＰ  Ｒｅ１−８と下位互換性がある。ＬＴＥアドバンスト仕様は、連続および非連続の周波数ブロックの両方に対して、周波数帯域統合をサポートしている。それら各周波数ブロックは、最大１１０個のリソース・ブロック（resource blocks）に制限されている。周波数帯域統合は、非連続な周波数ブロックを集約することで柔軟に帯域幅を増加させる。周波数ブロックは、アップリンク（ＵＬ）周波数ブロックまたはダウンリンク（ＤＬ）周波数ブロックとして使用される。更に、ＵＬ周波数ブロックまたはＤＬ周波数ブロックとの間には、１対１の対応がある。言い換えると、各ＵＬ周波数ブロックは、対応するＤＬ周波数ブロックと対を成している。ＬＴＥアドバンスト時分割二重（ＴＤＤ：time-division duplex）システムでは、ＵＬ周波数ブロックとＤＬ周波数ブロックは、同じ周波数ブロックである。
【０００６】
ＵＥに周波数帯域統合（ＣＡ：carrier aggregation）が設定されたとき、ＵＥは、データ転送速度を増加させるために１つのまたは複数の周波数ブロックにおいてデータの送受信が許可される。ＬＴＥアドバンスト・システムでは、ｅＮＢが、ＵＥに、異なる数のＵＬおよびＤＬ周波数ブロックを設定することを可能にする。上記ＵＬおよびＤＬ周波数ブロックは、それぞれ、ＵＬおよびＤＬ集合能力（aggregation capabilities）に依存している。更に、ＵＥに設定された周波数ブロックは、必然的に１つのＤＬプライマリ周波数ブロック（ＰＣＣ：primary component carrier）と１つのＵＬプライマリ周波数ブロックとから構成される。プライマリ周波数ブロック以外の周波数ブロックは、ＵＬまたはＤＬセカンダリ周波数ブロック（ＳＣＣ：secondary component carriers）と名付けられる。ＵＬおよびＤＬセカンダリ周波数ブロックの数は、任意であり、ＵＥの性能と利用可能な無線リソースとに関係する。周波数帯域統合においては、ＵＥは、ネットワークと１つのＲＲＳ接続を持つだけである。ＲＲＳ接続の確立／再確立／ハンドオーバーでは、１つのサービング・セル（serving cell）は、ＮＡＳ移動体情報を提供する。そして、ＲＲＳ接続の再確立／ハンドオーバーでは、１つのサービング・セルが、セキュリティ入力を提供する。このサービング・セルは、プライマリ・セル（ＰＣｅｌｌ：Primary Cell）と呼ばれる。ダウンリンクでは、ＰＣｅｌｌに対応するキャリア（搬送波）は、ダウンリンク・プライマリ周波数ブロック（ＤＬ  ＰＣＣ：Downlink Primary Component Carrier）であり、一方、アップリンクでは、アップリンク・プライマリ周波数ブロック（ＵＬ  ＰＣＣ：Uplink Primary Component Carrier）である。ＰＣｅｌｌは、非アクティブ化され得ないが、ハンドオーバーの処理によって変更され得る。
【０００７】
この設定では、半永続ダウンリンク・リソース（semi-persistentdownlink resources）は、プライマリ周波数ブロックに対して唯一設定される。ダウンリンクと同様に、半永続アップリンク・リソース（semi-persistent uplink resources）は、プライマリ周波数ブロックに対して唯一設定される。それゆえ、ＵＥがＳＰＳアップリンクまたはダウンリンク情報（言い換えれば、ダウンリンクの割当て（downlink assignment）またはアップリンク・グラント（uplink grant））を受信したとき、ＵＥは、下記の条件を全て満たす場合、ＳＰＳ情報に関する物理ダウンリンク制御チャンネル（ＰＤＣＣＨ：Physical Downlink Control Channel）認証処理（validation process）は、有効であると特定する。
【０００８】
（ａ）ＰＤＣＣＨペイロードのために得られたＣＲＣパリティビットは、半永続スケジューリングＣ−ＲＮＴＩによってスクランブルされている。
【０００９】
（ｂ）新規のデータ指標フィールドは”０”にセットされる。ＤＣＩフォーマットが２，２Ａ，２Ｂの場合、新規のデータ指標フィールドは、可能な輸送ブロック（enabled transport block）に対するものを参照する。
【００１０】
ＵＥの物理層でＵＥがＰＤＣＣＨ認証処理が有効であると特定した後、物理層は、アップリンクまたはダウンリンク情報の処理およびそれに続く処理のために、半永続スケジューリング情報をＵＥの媒体アクセス制御（ＭＡＣ：Medium Access Control）層に受け渡す。
【先行技術文献】
【非特許文献】
【００１１】
【非特許文献１】3GPP TS 36.321 V9.2.0、3rd Generation Partnership Project; Technical Specification Group Radio Access Network; Evolved Universal Terrestrial Radio Access (E-UTRA); Medium Access Control (MAC) protocol specification (Release 9)、2010/03
【非特許文献２】3GPP TS 36.213 v9.1.0、3rd Generation Partnership Project; Technical Specification Group Radio Access Network; Evolved Universal Terrestrial Radio Access (E-UTRA); Physical layer procedures(Release 9)、2010/03
【非特許文献３】3GPP TSG-RAN WG2 Meeting #70, R2-103427, Stage 2 description of Carrier Aggregation、2010/05
【発明の概要】
【発明が解決しようとする課題】
【００１２】
しかしながら、異なる周波数ブロックで同じ半永続スケジューリングＣ−ＲＮＴＩを再利用することでＣ−ＲＮＴＩ不足の問題を解決するために、ｅＮＢは、同じ半永続スケジューリングＣ−ＲＮＴＩを、異なるプライマリ・セルを持つ少なくも２つのＵＥに割り当てる。言い換えると、半永続スケジューリングＣ−ＲＮＴＩは、１つの周波数ブロックにおいて唯一である。例えば、ＵＥ１は、周波数ブロックＣＣ１に対応する第１ＰＣｅｌｌを有する。別のＵＥ２は、別の周波数ブロックＣＣ２に対応する第２ＰＣｅｌｌを有する。ＵＥ１とＵＥ２には、同じ半永続スケジューリングＣ−ＲＮＴＩが設定され得る。
【００１３】
このような状況の下で、半永続アップリンクまたはダウンリンク・リソースと複数の周波数ブロック（言い換えると、１つのプライマリ周波数ブロックと少なくとも１つのセカンダリ周波数ブロック）とが設定されたＵＥは、半永続スケジューリングＣ−ＲＮＴＩと共に、ダウンリンクの割当てまたはアップリンク・グラントを受信することができる。そして、ダウンリンクの割当てまたはアップリンク・グラントは、セカンダリ周波数ブロック（すなわちＳＣｅｌｌに対応する）において、ダウンリンクまたはアップリンク・リソースを割り当てる。先行技術によれば、ＵＥは、ダウンリンクまたはアップリンクを処理する。しかしながら、これは、重大な問題を引き起こす。なぜならば、ＵＥは、別のＵＥに割り当てられたダウンリンクまたはアップリンクを使用するからである。上記別のＵＥには、同じ半永続スケジューリングＣ−ＲＮＴＩと、プライマリ周波数ブロックとして上記ＵＥのセカンダリ周波数ブロックとが設定される。
【００１４】
本出願は、半永続スケジューリング・セル・ラジオ・ネットワーク一時識別子の処理方法、および、それに関連する通信装置を開示する。
【課題を解決するための手段】
【００１５】
無線通信システムにおいて、プライマリ周波数ブロック、少なくとも１つのセカンダリ周波数ブロック、および半永続スケジューリング（ＳＰＳ）移動局装置識別子（Ｃ−ＲＮＴＩ）が設定されたモバイル装置に関する、ＳＰＳ・Ｃ−ＲＮＴＩの処理方法を開示する。この方法は、ＳＰＳ情報に関する物理ダウンリンク制御チャンネル（ＰＤＣＣＨ）認証処理を実行するステップと、上記ＰＤＣＣＨ認証処理が有効で、かつ、上記プライマリ周波数ブロックにおいて上記ＳＰＳ情報が受信された場合、上記ＳＰＳ情報が有効であると特定するステップとを含む。
【００１６】
無線通信システムにおいて、プライマリ周波数ブロック、少なくとも１つのセカンダリ周波数ブロック、および半永続スケジューリング（ＳＰＳ）移動局装置識別子（Ｃ−ＲＮＴＩ）が設定されたモバイル装置に関する、ＳＰＳ・Ｃ−ＲＮＴＩの処理方法を開示する。この方法は、ＳＰＳ情報が上記プライマリ周波数ブロックにおいて受信されたか否かに応じて、上記ＳＰＳ情報に関する物理ダウンリンク制御チャンネル（ＰＤＣＣＨ）認証処理を実行するステップを含む。
【００１７】
無線通信システムにおいて、プライマリ周波数ブロック、少なくとも１つのセカンダリ周波数ブロック、半永続スケジューリング（ＳＰＳ）移動局装置識別子（Ｃ−ＲＮＴＩ）、および、Ｃ−ＲＮＴＩが設定されたモバイル装置に関する、ＳＰＳ・Ｃ−ＲＮＴＩの処理方法を開示する。この方法は、リソース情報を受信するステップと、上記リソース情報が受信された上記プライマリ周波数ブロックおよび上記少なくとも１つのセカンダリ周波数ブロックに応じて、上記リソース情報の中のＣＲＣパリティビットをデコードするステップとを含む。
【００１８】
半永続スケジューリング（ＳＰＳ）移動局装置識別子（Ｃ−ＲＮＴＩ）を処理するための無線通信システムを構成する通信装置を開示する。この通信装置は、プライマリ周波数ブロック、少なくとも１つのセカンダリ周波数ブロック、およびＳＰＳ・Ｃ−ＲＮＴＩが設定され、ＳＰＳ情報に関する物理ダウンリンク制御チャンネル（ＰＤＣＣＨ）認証処理を実行する手段と、上記ＰＤＣＣＨ認証処理が有効で、かつ、上記プライマリ周波数ブロックにおいて上記ＳＰＳ情報が受信された場合、上記ＳＰＳ情報が有効であると特定する手段とを備える。
【００１９】
半永続スケジューリング（ＳＰＳ）移動局装置識別子（Ｃ−ＲＮＴＩ）を処理するための無線通信システムを構成する通信装置を開示する。この通信装置は、プライマリ周波数ブロック、少なくとも１つのセカンダリ周波数ブロック、およびＳＰＳ・Ｃ−ＲＮＴＩが設定され、上記ＳＰＳ情報が上記プライマリ周波数ブロックにおいて受信されたか否かに応じて、上記ＳＰＳ情報に関する物理ダウンリンク制御チャンネル（ＰＤＣＣＨ）認証処理を実行する手段を備える。
【００２０】
半永続スケジューリング（ＳＰＳ）移動局装置識別子（Ｃ−ＲＮＴＩ）を処理するための無線通信システムを構成する通信装置を開示する。この通信装置は、プライマリ周波数ブロック、少なくとも１つのセカンダリ周波数ブロック、ＳＰＳ・Ｃ−ＲＮＴＩ、および、Ｃ−ＲＮＴＩが設定され、リソース情報を受信する手段と、上記リソース情報が受信された上記プライマリ周波数ブロックおよび上記少なくとも１つのセカンダリ周波数ブロックに応じて、上記リソース情報の中のＣＲＣパリティビットをデコードする手段とを備える。
【００２１】
本発明の上記目的物および残りの目的物は、後述する、様々な図および記載で説明された好ましい実施の形態の詳細な説明を読むことで、その技術の通常のスキルを有する人に対して疑い無く明らかになるだろう。
【図面の簡単な説明】
【００２２】
【図１】典型的な無線通信システムの概略図である。
【図２】典型的な通信装置の概略図である。
【図３】図２のプログラムコードを示した図である。
【図４】本発明の実施の形態における処理のフローチャートである。
【図５】本発明の実施の形態における処理のフローチャートである。
【図６】本発明の実施の形態における処理のフローチャートである。
【発明を実施するための形態】
【００２３】
図１は、無線通信システム１０の典型的な概略図である。無線通信システム１０は、ＬＴＥアドバンスト・システム、或いは、他のモバイル通信システム（例えば、LTE、WCDMA、HSPA、GSM、EDGE、etc）であってもよい。無線通信システム１０は、簡単に言えば、図１に示された構成のように、ネットワークと複数のユーザ機器（ＵＥ）とから構成される。ＬＴＥアドバンスト・システムでは、ネットワークは、発展型ユニバーサル・テレストリアル・ラジオ・アクセス・ネットアーク（Ｅ−ＵＴＲＡＮ：evolved universal terrestrial radio access network）と呼ばれる。そのＥ−ＵＴＲＡＮは、複数の発展型基地局（ｅＮＢ：evolved base stations）を含む。ＵＥは、例えば携帯電話、コンピュータ・システム等の装置であってもよい。更に、ネットワークとＵＥは、伝達方向に応じて送信器または受信器として見ることができる。例えば、アップリンク（ＵＬ）に対しては、ＵＥは送信器でありネットワークは受信器であり、ダウンリンク（ＤＬ）に対しては、ネットワークは送信器でありＵＥは受信器である。
【００２４】
図２は、通信装置２０の典型的な概略図である。通信装置２０は、図１に示されたＵＥまたはネットワークであってもよく、例えばマイクロプロセッサまたはＡＳＩＣである処理手段２００、記憶ユニット２１０、および、通信インターフェース・ユニット２２０を含んでもよい。記憶ユニット２１０は、処理手段２００がアクセス可能なプログラムコード２１４を記憶する任意のデータ記憶装置であってよい。記憶ユニット２１０の例は、加入者識別モジュール（ＳＩＭ：subscriber identity module）、リード・オンリー・メモリ（ＲＯＭ）、ランダム・アクセス・メモリ（ＲＡＭ）、ＣＤ−ＲＯＭ、磁気テープ、フロッピー(登録商標）ディスク、および光学データ記憶装置を含むが、これに限定されない。通信インターフェース・ユニット２２０は、好ましくは、処理手段２００の処理結果に従ってネットワークに無線通信を行うための無線送受信機である。
【００２５】
図３は、図２のプログラムコード２１４を図示する。プログラムコード２１４は、多重通信プロトコル層のプログラムコードを含む。その多重通信プロトコル層は、上から下へと順に、無線リソース制御（ＲＲＣ）層３００、パケット収束プロトコル（ＰＤＣＰ）層３１０、無線リンク制御（ＲＬＣ）層３２０、媒体アクセス制御（ＭＡＣ）層３３０、および、物理（ＰＨＹ）層３４０を含む。ＰＨＹ層３４０は、例えば物理ランダム・アクセス・チャンネル（ＰＲＡＣＨ：Physical Random Access Channel）、物理アップリンク制御チャンネル（ＰＵＣＣＨ：Physical Uplink Control Channel）、物理アップリンク共有チャンネル（ＰＵＳＣＨ：Physical Uplink Shared Channel）、物理ダウンリンク制御チャンネル（ＰＤＣＣＨ：Physical Downlink Control Channel）、物理アップリンク共有チャンネル（ＰＤＣＣＨ：Physical Downlink Shared Channel）等の物理チャンネルを送受信する機能を含む。
【００２６】
ＬＴＥアドバンスト・システムでは、ＰＨＹ層３４０とＭＡＣ層３３０は、周波数帯域統合（ＣＡ）技術をサポートすることができる。その技術は、ＵＥが、１つまたは複数の周波数ブロックを通してデータの送信および／または受信を実行することを可能にする。その状況においては、本発明の実施形態は、ＵＥが、他のＵＥのＳＰＳリソースを誤使用すること無く、有効的かつ正確に半永続スケジューリング（ＳＰＳ）移動局装置識別子（Ｃ−ＲＮＴＩ：セル無線ネットワーク一時識別子）を処理するためのプログラムコード２１４を提供する。その結果、ネットワークは、異なる周波数ブロックの同じ半永続スケジューリングＣ−ＲＮＴＩを再利用することで、Ｃ−ＲＮＴＩ不足の問題を解決することができる。
【００２７】
図４は、本発明の実施形態における処理４０のフローチャートである。処理４０は、無線通信システムにおいてＵＥに関するＳＰＳ・Ｃ−ＲＮＴＩの処理のために使用される。上記無線通信システムは、無線通信システム１０であってもよい。そして、ＵＥには、プライマリ周波数ブロック（第１の周波数ブロック）と、少なくとも１つのセカンダリ周波数ブロック（第２の周波数ブロック）とＳＰＳ・Ｃ−ＲＮＴＩとが設定される。処理４０は、プログラムコード２１４にコンパイルすることができ、下記のステップを含む。
【００２８】
ステップ４００：開始。
【００２９】
ステップ４０２：ＳＰＳ情報に関する物理ダウンリンク制御チャンネル（ＰＤＣＣＨ）認証処理の実行。
【００３０】
ステップ４０４：ＰＤＣＣＨ認証処理が有効であり、かつプライマリ周波数ブロックにおいてＳＰＳ情報が受信された場合は、ＳＰＳ情報は有効であると特定する。
【００３１】
ステップ４０６：終了。
【００３２】
処理４０によれば、ＵＥには、プライマリ周波数ブロックと、少なくとも１つのセカンダリ周波数ブロック（例えば、ＰＣｅｌｌと少なくとも１つのＳＣｅｌｌに対応する）とＳＰＳ・Ｃ−ＲＮＴＩとが設定される。ＵＥが、プライマリ周波数ブロックおよび少なくとも１つのセカンダリ周波数ブロックの中の１つにおいて、ＳＰＳ情報（言い換えれば、ダウンリンクの割当てまたはアップリンク・グラント）を受信したとき、ＵＥは、上記ＳＰＳ情報に関する物理ダウンリンク制御チャンネル認証処理を実行する。そして、ＰＤＣＣＨ認証処理が有効であり、かつプライマリ周波数ブロックにおいてＳＰＳ情報が受信された場合は、ＵＥは、ＳＰＳ情報は有効であると特定する。
【００３３】
詳細には、ＵＥは、上記ＵＥの物理層において、ＳＰＳ情報に関するＰＤＣＣＨ認証処理を実行する。言い換えると、ＵＥは、下記の全ての条件を満たすと、ＰＤＣＣＨ認証処理は有効であると特定する。
【００３４】
（ａ）ＰＤＣＣＨペイロードによって得られたＣＲＣパリティビットが、半永続スケジューリングＣ−ＲＮＴＩを用いてスクランブルされている。
【００３５】
（ｂ）新規のデータ指標フィールドが“０”に設定される。
そして、ＰＨＹ層は、ＰＤＣＣＨ認証処理が有効である場合は、ＳＰＳ情報と周波数ブロック（ＣＣ）情報とをＵＥのＭＡＣ層に受け渡す。ここで、上記ＣＣ情報は、プライマリ周波数ブロックにおいてＳＰＳ情報が受信されたか否かを示している。このような状況の下で、ＭＡＣ層は、ＣＣ情報に応じてＳＰＳ情報が有効であるか否かを特定することができる。ＳＰＳ情報がプライマリ周波数ブロックにおいて受信されたことをＣＣ情報が示す場合は、ＭＡＣ層は、ＳＰＳ情報は有効であると特定する。そうでなければ、ＭＡＣ層は、ＳＰＳ情報は無効であると特定する。その結果、ＵＥは、他のＵＥのＳＰＳリソースの誤使用を避けるために、ＭＡＣ層においてＳＰＳ情報がプライマリ周波数ブロックにおいて受信されたか否かに応じて、ＳＰＳ情報が有効であるか否かを特定する。
【００３６】
図５は、本発明の実施形態による処理５０のフローチャートを示す。処理４０は、無線通信システムにおけるＵＥに関するＳＰＳ・Ｃ−ＲＮＴＩの処理のために利用される。この無線通信システムは、無線通信システム１０であってよく、このＵＥには、プライマリ周波数ブロック、少なくとも１つのセカンダリ周波数ブロック、およびＳＰＳ・Ｃ−ＲＮＴＩが設定される。処理５０は、プログラムコード２１４にコンパイルすることが可能であり、以下のステップを含む。
【００３７】
ステップ５００：開始。
【００３８】
ステップ５０２：プライマリ周波数ブロックにおいてＳＰＳ情報が受信されたか否かに応じて、ＳＰＳ情報に関する物理ダウンリンク制御チャンネル（ＰＤＣＣＨ）認証処理を実行する。
【００３９】
ステップ５０４：終了。
【００４０】
処理５０によれば、ＵＥは、プライマリ周波数ブロック、少なくとも１つのセカンダリ周波数ブロック（例えば、ＰＣｅｌｌおよび少なくとも１つのＳＣｅｌｌに対応する）、およびＳＰＳ・Ｃ−ＲＮＴＩが設定される。ＵＥが、１つのプライマリ周波数ブロックおよび少なくとも１つのセカンダリ周波数ブロックにおいてＳＰＳ情報（すなわち、ダウンリンクの割当て、またはアップリンク・グラント）を受信すると、上記ＳＰＳ情報がプライマリ周波数ブロックにおいて受信されたか否かに応じて、ＵＥは、上記ＳＰＳ情報について、ＰＨＹ層で物理ダウンリンク制御チャンネル（ＰＤＣＣＨ）認証処理を実行する。
【００４１】
言い換えれば、従来技術の認証条件以外に、さらにＳＰＳ情報がプライマリ周波数ブロックにおいて受信されたか否かに応じて、ＵＥは、ＰＤＣＣＨ認証処理が有効（valid）か否かを特定する。すなわち、下記の全ての条件が満たされるべきである。
【００４２】
（ａ）ＰＤＣＣＨペイロードによって得られたＣＲＣパリティビットは、半永続スケジューリングＣ−ＲＮＴＩによってスクランブルされている。
【００４３】
（ｂ）新規のデータ指標フィールドは、“０”に設定される。
【００４４】
（ｃ）ＳＰＳ情報ＰＤＣＣＨは、プライマリ周波数ブロックにおいて受信される。
【００４５】
ＰＤＣＣＨ認証処理が有効である場合（ＳＰＳ情報ＰＤＣＣＨがプライマリ周波数ブロックにおいて受信された場合を意味する）、ダウンリンクまたはアップリンク情報の処理およびそれに続く処理のために、ＰＨＹ層は、上記ＳＰＳ情報をＵＥのＭＡＣ層に受け渡す。そうでなければ、ＰＨＹ層は、ＳＰＳ情報をＭＡＣ層に受け渡さない。結果として、ＳＰＳ情報がＰＨＹ層のプライマリ周波数ブロックにおいて受信されたか否かに応じて、ＵＥは上記ＳＰＳ情報に関するＰＤＣＣＨ認証処理が有効か否かを特定することができ、他のＵＥのＳＰＳリソースを誤使用することを防ぐ。
【００４６】
図６は、本発明の実施形態による処理６０のフローチャートを示す。処理６０は、無線通信システムにおけるＵＥに関するＳＰＳ・Ｃ−ＲＮＴＩの処理のために利用される。この無線通信システムは、無線通信システム１０であってよく、このＵＥには、プライマリ周波数ブロック、少なくとも１つのセカンダリ周波数ブロック、ＳＰＳ・Ｃ−ＲＮＴＩ、およびＣ−ＲＮＴＩが設定される。処理６０は、プログラムコード２１４にコンパイルすることが可能であり、以下のステップを含む。
【００４７】
ステップ６００：開始。
【００４８】
ステップ６０２：リソース情報を受信する。
【００４９】
ステップ６０４：上記リソース情報が受信されたプライマリ周波数ブロックおよび少なくとも１つのセカンダリ周波数ブロックに応じて、上記リソース情報の中のＣＲＣパリティビットをデコードする。
【００５０】
ステップ６０６：終了。
【００５１】
処理６０によれば、ＵＥは、プライマリ周波数ブロック、少なくとも１つのセカンダリ周波数ブロック（例えば、ＰＣｅｌｌおよび少なくとも１つのＳＣｅｌｌに対応する）、ＳＰＳ・Ｃ−ＲＮＴＩ、およびＣ−ＲＮＴＩが設定される。ＵＥが、１つのプライマリ周波数ブロックおよび少なくとも１つのセカンダリ周波数ブロックにおいてリソース情報（すなわち、ダウンリンクの割当て、またはアップリンク・グラント）を受信すると、上記リソース情報が受信されたプライマリ周波数ブロックおよび少なくとも１つのセカンダリ周波数ブロックに応じて、ＵＥは、上記リソース情報の中のＣＲＣパリティビットをデコードする。
【００５２】
詳細には、少なくとも１つのセカンダリ周波数ブロックのうちの１つにおいてリソース情報が受信された場合、ＵＥは、Ｃ−ＲＮＴＩのみによって、上記リソース情報の中のＣＲＣパリティビットのデコードを行う。他方、１つのプライマリ周波数ブロックにおいてリソース情報が受信された場合、ＵＥは、Ｃ−ＲＮＴＩまたはＳＰＳ・Ｃ−ＲＮＴＩによって、上記リソース情報の中のＣＲＣパリティビットのデコードを行う。この場合、ＰＤＣＣＨペイロードによって得られたＣＲＣパリティビットは、Ｃ−ＲＮＴＩによってスクランブルされていないとＵＥが特定すると、ＵＥは、半永続スケジューリングＣ−ＲＮＴＩによってＣＲＣパリティビットのデコードを行う。それゆえ、ＳＰＳ情報が少なくとも１つのセカンダリ周波数ブロックにおいて受信されたとき、処理６０は、ＰＤＣＣＨのデコードを高速化する。それは、少なくとも１つのセカンダリ周波数ブロックにおいて受信されたＳＰＳ情報の中のＣＲＣパリティビットは、デコードされていない（すなわち、ＳＰＳ情報に関するＰＤＣＣＨ認証処理は無効（invalid）である）からである。結果として、リソース情報がどこにおいて受信されたかに応じて、ＵＥは、上記リソース情報の中のＣＲＣパリティビットをデコードすることができ、他のＵＥのＳＰＳリソースを誤使用することが回避され、その上、ＳＰＳ情報がセカンダリ周波数ブロックにおいて受信されたときはＰＤＣＣＨのデコードが高速化される。
【００５３】
提案されたステップを含む上述のステップは、ハードウェア、ハードウェア装置とコンピュータ命令とハードウェア装置上の読み取り専用ソフトウェアとして備えられるデータとの組み合わせとして知られるファームウェア、または電子システムの手段によって実現することができる。アナログ回路、デジタル回路、およびその混在回路はハードウェアの例に含まれる。これらは、マイクロ回路、マイクロチップ、またはシリコンチップとして知られる。システム・オン・チップ（ＳＯＣ）、システム・イン・パッケージ（Ｓｉｐ）、コンピュータ・オン・モジュール（ＣＯＭ）、および通信装置２０は、電子システムの例に含まれる。通信装置２０において、処理手段２００は、上述の処理に関連するプログラムコード２１４を処理し、その処理結果により、無線通信システム１０におけるアップリンク送信は向上される。
【００５４】
従来技術では、ネットワークが、異なる周波数ブロックにおいて同じ半永続スケジューリングＣ−ＲＮＴＩを再利用することによって、Ｃ−ＲＮＴＩ不足の問題を解決すると、ＵＥのセカンダリ周波数ブロックおよび同じ半永続スケジューリングＣ−ＲＮＴＩがプライマリ周波数ブロックとして設定されている別のＵＥのリソースを、ＵＥが誤使用するかもしれない。
【００５５】
これに対して、本発明の一実施形態では、ＵＥは、ＳＰＳ情報が有効か否かを、ＳＰＳ情報がＭＡＣ層においてプライマリ周波数ブロックで受信されたか否かに応じて特定することができ、他のＵＥのＳＰＳリソースの誤使用が回避される。本発明の別の実施形態では、ＵＥは、ＳＰＳ情報に関するＰＤＣＣＨ認証処理が有効か否かを、ＳＰＳ情報がＰＨＹ層においてプライマリ周波数ブロックで受信されたか否かに応じて特定することができ、他のＵＥのＳＰＳリソースの誤使用が回避される。本発明のさらに別の実施形態では、ＵＥは、リソース情報がどこで受信されたかに応じて、リソース情報のＣＲＣパリティビットをデコードすることができ、他のＵＥのＳＰＳリソースの誤使用が回避され、その上、ＳＰＳ情報がセカンダリ周波数ブロックで受信されたときは、ＰＤＣＣＨのデコードが高速化される。
【００５６】
総括して言えば、ネットワークが異なる周波数ブロックで同じ半永続スケジューリングＣ−ＲＮＴＩを再利用することによってＣ−ＲＮＴＩ不足の問題を解決できるように、本発明では、他のＵＥのＳＰＳリソースの誤使用を回避するために、リソース情報がどこで受信されたかに応じて、ＳＰＳ・Ｃ−ＲＮＴＩを処理することができる。
【００５７】
本発明の教示によって、この装置および方法の多くの変形例および代替例が作られることに、当業者は容易に気づくであろう。したがって、上述の開示は、添付された特許請求の範囲の境界によってのみ限定されるとして解釈されるべきである。
【図１】
2011254480.tif 000003
【図２】
2011254480.tif 000004
【図３】
2011254480.tif 000005
【図４】
2011254480.tif 000006
【図５】
2011254480.tif 000007
【図６】
2011254480.tif 000008